(57)【要約】【課題】充填空間内を十分に行き渡らせるようにして充填された発泡断熱材の余剰分が組付け箇所等から充填空間の外部に漏出することを防止できるショーケースの断熱パネル構造を提供すること。【解決手段】外面材２０と内面材２３とを端面部材２６に組付け、これらによって囲まれた充填空間Ｋ内に発泡断熱材を充填して形成した断熱パネルにより構成された本体内に、前面若しくは上面が開口した貯蔵室を形成し、該貯蔵室内を冷却するショーケースの断熱パネル構造であって、端面部材２６の内部に内部空間を形成するとともに、端面部材２６の所定箇所に、充填空間Ｋ内に充填される発泡断熱材の一部を内部空間に誘導可能とする誘導路を形成したこと。【選択図】図２
2008008509.tif 000002
【特許請求の範囲】
【請求項１】
外面材と内面材とを端面部材に組付け、これらによって囲まれた充填空間内に発泡断熱材を充填して形成した断熱パネルにより構成された本体内に、前面若しくは上面が開口した貯蔵室を形成し、該貯蔵室内を冷却するショーケースの断熱パネル構造であって、
前記端面部材の内部に内部空間を形成するとともに、該端面部材の所定箇所に、前記充填空間内に充填される発泡断熱材の一部を前記内部空間に誘導可能とする誘導路を形成したことを特徴とするショーケースの断熱パネル構造。
【請求項２】
前記内部空間は、前記端面部材の内壁と外壁との間に設けられた仕切壁により内外方向に仕切られており、前記内壁に前記誘導路を形成したことを特徴とする請求項１に記載のショーケースの断熱パネル構造。
【請求項３】
前記端面部材は、前記外面材側又は前記内面材側に開放している断面視略コ字形状に形成され、前記誘導路は、前記端面部材の内壁の開放端辺に形成された切欠部で構成されていることを特徴とする請求項１または２に記載のショーケースの断熱パネル構造。
【請求項４】
前記断熱パネルは、前記ショーケースの底部に構成されているとともに、該断熱パネルの端面部材は、下方側に配置された前記外面材側に開放していることを特徴とする請求項３に記載のショーケースの断熱パネル構造。
【請求項５】
前記端面部材の少なくとも内壁及び外壁に、前記発泡断熱材を前記充填空間に充填するための注入路が形成されており、該注入路は、前記誘導路が形成された前記内部空間と区画されていることを特徴とする請求項１ないし４のいずれかに記載のショーケースの断熱パネル構造。
【発明の詳細な説明】
【技術分野】
【０００１】
本発明は、外面材と内面材とを端面部材に組付け、これらによって囲まれた充填空間内に発泡断熱材を充填して形成した断熱パネルにより構成された本体内に、前面若しくは上面が開口した貯蔵室を形成し、該貯蔵室内を冷却するショーケースの断熱パネル構造に関する。
【背景技術】
【０００２】
スーパーマーケットやコンビニエンスストア等の食品販売店では、冷凍食品や冷蔵食品等を陳列するために、前面若しくは上面が開口した冷凍・冷蔵オープンショーケースが多用されている。従来のショーケースの断熱パネル構造は、外面材と内面材及び端面部材とにより囲まれた充填空間内に、所定の充填手段により発泡断熱材を充填して断熱パネルを形成している（例えば、特許文献１ないし特許文献３参照）。
【０００３】
【特許文献１】特開昭５９−１０４０６２号公報（第２頁、図４）
【特許文献２】特開２０００−２８３６４５号公報（第２頁、図２）
【特許文献３】特許第３３６９９４６号公報（第２頁、図２）
【発明の開示】
【発明が解決しようとする課題】
【０００４】
しかしながら、特許文献１ないし特許文献３にあっては、発泡断熱材が充填空間内に十分に行き渡るように、若干多めに充填されることが多い。充填の際に発生した余剰の発泡断熱材が、外面材及び内面材と端面部材との組付け箇所若しくは発泡断熱材の注入箇所等から充填空間の外部に漏出してしまい、このように漏出した発泡断熱材の除去する手間がかかるばかりか、発泡断熱材の余剰分が無駄となっていた。
【０００５】
本発明は、このような問題点に着目してなされたもので、充填空間内を十分に行き渡らせるようにして充填された発泡断熱材の余剰分が組付け箇所等から充填空間の外部に漏出することを防止できるショーケースの断熱パネル構造を提供することを目的とする。
【課題を解決するための手段】
【０００６】
上記課題を解決するために、本発明の請求項１に記載のショーケースの断熱パネル構造は、外面材と内面材とを端面部材に組付け、これらによって囲まれた充填空間内に発泡断熱材を充填して形成した断熱パネルにより構成された本体内に、前面若しくは上面が開口した貯蔵室を形成し、該貯蔵室内を冷却するショーケースの断熱パネル構造であって、
前記端面部材の内部に内部空間を形成するとともに、該端面部材の所定箇所に、前記充填空間内に充填される発泡断熱材の一部を前記内部空間に誘導可能とする誘導路を形成したことを特徴としている。
この特徴によれば、充填空間内を十分に行き渡らせるようにして充填された発泡断熱材の余剰分を、誘導路から端面部材の内部空間に積極的に誘導出来るため、発泡断熱材の余剰分が組付け箇所等から充填空間の外部に漏出することを極力防止できる。また、端面部材と硬化した断熱発泡材との接合強度が増す。
【０００７】
本発明の請求項２に記載のショーケースの断熱パネル構造は、請求項１に記載のショーケースの断熱パネル構造であって、前記内部空間は、前記端面部材の内壁と外壁との間に設けられた仕切壁により内外方向に仕切られており、前記内壁に前記誘導路を形成したことを特徴としている。
この特徴によれば、内部空間に仕切壁が設けられているため、端面部材が構造的に強固となるばかりか、誘導路を通過して内部空間に誘導された発泡断熱材が、端面部材の内壁を挟むようにして端面部材と一体に固着するため、断熱パネルの強度が高められる。また、外壁のみならず、仕切壁が設けられているため、発泡断熱材の漏出が確実に防止できる。
【０００８】
本発明の請求項３に記載のショーケースの断熱パネル構造は、請求項１または２に記載のショーケースの断熱パネル構造であって、前記端面部材は、前記外面材側又は前記内面材側に開放している断面視略コ字形状に形成され、前記誘導路は、前記端面部材の内壁の開放端辺に形成された切欠部で構成されていることを特徴としている。
この特徴によれば、充填空間内に充填されるとともに切欠部を通過して内部空間に誘導された発泡断熱材と、外面材又は内面材との接触面積が大きくなるため、断熱パネルの強度が高められる。
【０００９】
本発明の請求項４に記載のショーケースの断熱パネル構造は、請求項３に記載のショーケースの断熱パネル構造であって、前記断熱パネルは、前記ショーケースの底部に構成されているとともに、該断熱パネルの端面部材は、下方側に配置された前記外面材側に開放していることを特徴としている。
この特徴によれば、誘導路を通過して重力により内部空間内の下方から上方に向かって順次誘導された発泡断熱材が、下方側に設置された外面材と一体に固着するため、外面材の外側との断熱性能を向上させることができる。
【００１０】
本発明の請求項５に記載のショーケースの断熱パネル構造は、請求項１ないし４のいずれかに記載のショーケースの断熱パネル構造であって、前記端面部材の少なくとも内壁及び外壁に、前記発泡断熱材を前記充填空間に充填するための注入路が形成されており、該注入路は、前記誘導路が形成された前記内部空間と区画されていることを特徴としている。
この特徴によれば、発泡断熱材が注入路から充填空間内に充填されるとともに、誘導路を通過して内部空間に誘導された発泡断熱材の余剰分が、注入路を介して外部に漏出することを防止できる。
【発明を実施するための最良の形態】
【００１１】
本発明の実施例を以下に説明する。
【実施例】
【００１２】
本発明の実施例を図面に基づいて説明すると、先ず図１は、本発明の実施例におけるショーケースの断熱パネル構造の全体像を示す縦断面図である。図２は、ショーケースの底部における発泡断熱材を充填する充填空間を示す斜視図である。図３は、端面部材を下方から視た斜視図である。図４は、注入路周辺を示した拡大断面斜視図である。図５は、発泡断熱材の充填状況を示す断面図である。図６（ａ）は、断熱パネルの形成状況を示す図２のＡ−Ａ断面図であり、（ｂ）は、（ａ）と同じくＢ−Ｂ断面図である。図７は、変形例における端面部材を下方から視た斜視図である。
【００１３】
図１に示される冷蔵ショーケース１は、主に商店やスーパーマーケットやコンビニエンスストア等の食品等を取り扱う販売店舗に設置され、商品を低温に保ったまま保冷、または冷凍した状態で陳列するために設置されるショーケースであり、正面側を開口した内箱３により囲まれた冷蔵室５には、商品を陳列する陳列棚６が上下方向に複数設置され、下部に設けられた底板３ｂにも商品（図示省略）を陳列可能になっており、商品を多数載置可能な構成となっている。以下、本実施例の説明において、図１の冷蔵ショーケース１を対面した状態で見て、手前正面側を右方とし、奥行き側を左方とし、内箱３の開口側（左側）を前方とし、閉塞側（右側）を後方として説明する。
【００１４】
冷蔵ショーケース１は、前面（図の左方）が開放された略コ字形をなす断熱構造の外箱２と、その内方の、同じく前面が開放された略コ字形の内箱３とからなるケース本体４を備え、その内部空間は冷蔵室５となっている。内箱３の背面板３ａには、上下複数段の陳列棚６の後端が取付けられ、この各陳列棚６と内箱３の底板３ｂとの上面に、商品（図示略）が陳列されるようになっている。
【００１５】
外箱２と内箱３との間には、通風路７が形成され、この通風路７の垂直部と底部には、それぞれ冷却装置８と送風機９が設置されている。ケース本体４の上部の前端には、通風路７と連通する冷気吹出口１０が下向きに形成され、またケース本体４の前端下部の上端において外箱２と内箱３との間には、上方に開口する冷気の吸込口１１が形成されている。
【００１６】
送風機９を作動させると、冷却装置８により冷却された冷気は、矢印のように、通風路７内を上方に向かって流れ、冷気吹出口１０より、下方の吸込口１１に向かって吹き出される。これにより、ケース本体４の前面の開放面に冷気のエアカーテン１２が形成されるとともに、その冷気の一部が冷蔵室５内に流入することにより、陳列商品が保冷されるようになる。
【００１７】
また、外箱２の前端下部における開口部の上端には、左右方向に設けられた手摺部材１３が、その下端面を外箱２の前面上部に固着（溶着）することにより、一体的に上向きに突設されている。また、１５は、手摺部材１３の上端と、外箱２の外面に沿って設けられた化粧パネル１６の前面上端とに止着された手摺カバーである。
【００１８】
次に、冷蔵ショーケース１における底部の構造について説明すると、図２に示されるように、冷蔵ショーケース１の断熱パネルＰは、外面材２０と内面材２３とを両側端部に設置した端面部材２６に組付け、これらによって囲まれた充填空間内に後述のように発泡断熱材を充填して形成して成る。
【００１９】
断熱パネルＰについて具体的には、外面材２０として、床面Ｙと略平行に設けられた外底板２１と、外底板２１と連続して冷蔵ショーケース１の前面側上方に向かって斜方向に設けられた斜め外底板２２とが、左右幅方向に延設されており、外底板２１及び斜め外底板２２より所定高さ離間した上方箇所に、通風路７の下面を構成する内面材２３として、内底板２４と斜め内底板２５とが、同様に左右幅方向に延設されている。
【００２０】
尚、外面材若しくは内面材の部材構成は、必ずしも別々の部材で構成されているに限られず、それぞれ単一の部材であってもよいし、また例えば、外面材及び内面材が、一体となるとともに所定の左右幅寸法を有した単一の部材であってもよい。
【００２１】
また、外底板２１及び斜め外底板２２の左右方向における端部と、内底板２４及び斜め内底板２５の左右方向における端部とには、互いを向くように屈曲する屈曲片２１ａ、２２ａ、２４ａ、２５ａが延設されている。また、これら外底板２１及び斜め外底板２２と、内底板２４及び斜め内底板２５との左右方向における端部間を前後方向に塞ぐようにして、端面部材２６が設置されている。
【００２２】
図３及び図４に示されるように、端面部材２６は、外壁３０ａと内壁３０ｃと上壁３０ｆとにより、断面視略コ字形状の中空構造に前後方向に亘って形成され、開放側２６ａを下方側に配置された外面材２０と当接させるとともに、閉塞側としての上壁３０ｆを内面材２３と当接させるように配置されている。
【００２３】
外底板２１の屈曲片２１ａ及び斜め外底板２２の屈曲片２２ａは、端面部材２６の外壁３０ａの内面と当接するようにして、且つ前後方向に所定間隔おきに多数設けられた左右方向の仕切壁３０ｄに開放側２６ａに形成された凹溝３１に嵌合するようにして組付けられている。また、内底板２４の屈曲片２４ａ及び斜め内底板２５の屈曲片２５ａは、端面部材２６の上壁３０ｆに形成された凹溝２７に嵌合するようにして組付けられている。
【００２４】
このように組付けられた外面材２０と内面材２３及び端面部材２６によって囲まれた箱状の充填空間Ｋが形成され、この充填空間Ｋ内に、後述するように発泡断熱材Ｈを充填して断熱パネルＰを形成する（図５及び図６参照）。
【００２５】
尚、外面材及び内面材と端面部材との組付け構成は、必ずしも外面材及び内面材の前後方向に延設された屈曲片が、端面部材に形成された凹溝に嵌合して組付けるに限られず、例えば、夫々の部材の対向する箇所に、凹部と凸部とを所定間隔をあけて点在して設け、該凹部と凸部との凹凸嵌合による組付けであってもよい。
【００２６】
また、図１に示されるように、冷蔵ショーケース１の前部においても、所定の外面材と内面材及び端面部材によって囲まれた空間に、発泡断熱材を充填して断熱パネルＰ１を形成している。同様に、冷蔵ショーケース１の後部及び上部においても断熱パネルＰ２、Ｐ３を形成しており、これら断熱パネルにより、冷蔵ショーケース１の外部との断熱を可能としている。
【００２７】
図３に示されるように、端面部材２６の構造について詳しく説明すると、端面部材２６の内部空間は、内壁３０ｃと外壁３０ａとの間に前後方向に設けられた仕切壁３０ｂにより左右方向（内外方向）に仕切られており、仕切壁３０ｂより内側の内部空間Ｎと仕切壁３０ｂより外側の内部空間Ｎ’とを有するとともに、所定間隔で左右方向に形成された複数の仕切壁３０ｄ等により、内部空間Ｎ、内部空間Ｎ’が更に前後方向に多数に分割されている中空構造を有している。
【００２８】
尚、端面部材の内空構造については、必ずしも上記実施例に限られず、例えば左右方向に多数に分割されていてもよいし、また、左右方向若しくは前後方向のいずれか一方向のみに分割されていてもよい。
【００２９】
端面部材２６は、嵌脱自在に設けられた凹部（図示略）と凸部３２との凹凸嵌合により、前後方向に複数に分割可能な分割構造を有しており、冷蔵ショーケース１の前後方向の仕様・奥行き寸法に応じて、端面部材２６を適宜接続若しくは分割して構成することにより、様々な仕様・型式の冷蔵ショーケースに適用することができる。
【００３０】
また、上述のように断面視略コ字形状の中空構造である端面部材２６は、左右方向に所定の幅寸法を有しており、このようにすることで、冷蔵ショーケース１の底部であって左右端部において幅方向に座りがよい安定的な部材として構成できるため、冷蔵ショーケース１の左右両端の底部に設けられた端面部材２６の下方において、外底板２１を介して、例えば側面視略コ字形状を有する脚部材１９を接続した場合でも、これら部材の組付けが容易であるばかりか、構造強度も高くすることができる。
【００３１】
端面部材２６の内壁３０ｃには、開放側２６ａ端辺を切欠いた誘導路としての切欠部２８が、前後方向に所定間隔おきに多数形成されており、この切欠部２８により、充填空間Ｋと、仕切壁３０ｂより内側において仕切壁３０ｄにて多数に分割された内部空間Ｎとが連通されており、後述のように、充填空間Ｋの充填される発泡断熱材Ｈの余剰分を内部空間Ｎに誘導するように成っている（図６（ｂ）参照）。
【００３２】
図３及び図４に示されるように、端面部材２６の所定箇所に、後述のように発泡断熱材Ｈを充填空間Ｋに充填するための注入路２９が形成されている。注入路２９は、端面部材２６における前後方向に設けられた外壁３０ａと、仕切壁３０ｂと、内壁３０ｃとに略同軸に形成された開口部２９ａ、２９ｂ、２９ｃにより冷蔵ショーケース１の外部と充填空間Ｋとを連通するとともに、内部空間Ｎ、内部空間Ｎ’とは左右方向に設けられた仕切壁３０ｅ、３０ｅ’により前後方向に区画され構成されている。各開口部２９ａ、２９ｂ、２９ｃは、後述する発泡断熱材充填用のノズル３５よりも若干大径に形成されている。また、内壁３０ｃの内面に、弾性を有し開口部２９ｃを被覆する逆止板３４が設けられている。
【００３３】
次に、断熱パネルの形成について説明する。
【００３４】
図５に示されるように、注入路２９に発泡断熱材充填用のノズル３５を差し込み、ノズル３５先端により逆止板３４を押圧して充填空間Ｋ内に挿通する。図示しない発泡断熱材の充填手段によりノズル３５から発泡断熱材Ｈを充填空間Ｋ内に充填する。充填された発泡断熱材Ｈは流動性を有しており、所定の勢いで充填空間Ｋにおける注入路２９側から奥部側に向かって飛散するとともに、外面材２０（外底板２１、斜め外底板２２）及び内面材２３（内底板２４、斜め内底板２５）の内壁に付着しながら、充填空間Ｋ内における奥部側から注入路２９側に向かって、且つ重力により充填空間Ｋ内における下方から上方に向かって順次充填される。
【００３５】
図６（ａ）、（ｂ）に示されるように、このように充填空間Ｋ内を満たして充填された発泡断熱材Ｈは、経時的に外面材２０（外底板２１、斜め外底板２２）及び内面材２３（内底板２４、斜め内底板２５）並びに端面部材２６と一体に固化して断熱パネルＰを形成する。
【００３６】
図６（ｂ）に示されるように、充填空間Ｋ内を十分に行き渡らせるようにして充填された発泡断熱材の余剰分Ｈ’を、端面部材２６の内壁３０ｃに形成された切欠部２８から、端面部材２６の左右方向における内側の内部空間Ｎに積極的に誘導出来る。このようにすることで、発泡断熱材の余剰分Ｈ’が、外面材２０及び内面材２３と端面部材２６との組付け箇所等から充填空間Ｋの外部に漏出することを極力防止できる。また、端面部材２６と硬化した断熱発泡材Ｈ、Ｈ’との接合強度が増す。更に、仕切壁３０ｄにより多数に分割された内部空間Ｎに、多数形成された切欠部２８から発泡断熱材の余剰分Ｈ’を誘導できるため、発泡断熱材と端面部材２６との接触面積を大きくして、断熱パネルＰの強度が高められる。
【００３７】
更に、内部空間に仕切壁３０ｂ等が設けられているため、端面部材２６が構造的に強固となるばかりか、充填空間Ｋ内に充填されるとともに切欠部２８を通過して内部空間Ｎに回り込んで誘導された発泡断熱材の余剰分Ｈ’が、端面部材２６の内壁３０ｃを挟むようにして端面部材２６と一体に固着するため、断熱パネルＰの強度が高められる。また、外壁３０ａのみならず、仕切壁３０ｂが設けられているため、発泡断熱材の余剰分Ｈ’の漏出が確実に防止できる。
【００３８】
特に、仕切壁３０ｂ、３０ｄは、そもそも端面部材２６の補強リブとして設けられたものであり、このような補強リブを利用して、上述した発泡断熱材の余剰分Ｈ’の漏出が確実に防止できる効果を得ることが出来る。
【００３９】
また、切欠部２８は、断面視略コ字形状の中空構造である端面部材２６の開放側２６ａを切欠して形成されており、このようにすることで、充填空間Ｋ内に充填されるとともに切欠部２８を通過して内部空間Ｎに誘導された発泡断熱材の余剰分Ｈ’と、外面材２０との接触面積が大きくなるため、断熱パネルＰの強度が高められる。
【００４０】
更に、切欠部２８が形成された端面部材２６の開放側２６ａを、下方側に配置された外面材２０（外底板２１、斜め外底板２２）と当接させており、このようにすることで、切欠部２８を通過して重力により内部空間Ｎ内の下方から上方に向かって順次誘導された発泡断熱材の余剰分Ｈ’が、下方側に設置された外面材２０（外底板２１、斜め外底板２２）と一体に固着するため、外面材２０（外底板２１、斜め外底板２２）の外側との断熱性能を向上できる。
【００４１】
また図３に示されるように、注入路２９は、注入路２９の前後において左右方向に設けられた仕切壁３０ｅ、３０ｅ’により、切欠部２８が形成された内部空間Ｎと区画されており、このようにすることで、図６（ａ）に示されるように、注入路２９から充填空間Ｋ内に充填されるとともに切欠部２８を通過して内部空間Ｎに誘導された発泡断熱材の余剰分Ｈ’が、注入路２９を介して充填空間Ｋの外部に漏出することを防止できる。加えて、開口部２９ｃを被覆する逆止板３４が設けられていることにより、同様に、発泡断熱材の余剰分Ｈ’が、注入路２９を介して充填空間Ｋの外部に漏出することを防止できる。
【００４２】
尚、仕切壁３０ｂには、内壁３０ｃに設けられているような誘導路が形成されておらず、内部空間Ｎと内部空間Ｎ’とを区画しているため、発泡断熱材の余剰分Ｈ’は、上述したように仕切壁３０ｂより内側の内部空間Ｎに誘導可能となっているが、仕切壁３０ｂより外側の内部空間Ｎ’には誘導されない。このようにすることで、内部空間Ｎ’は、空気で満たされた状態で、断熱パネルＰを構成するようになる。断熱性能については、空気と発泡断熱材とでは略同じであるため、端面部材２６における断熱性能を維持しつつ断熱パネルＰを構成できる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、上記実施例では、誘導路として、端面部材２６の内壁３０ｃの開放側２６ａ端辺を切欠いた切欠部２８が構成されていたが、内部空間に発泡断熱材を誘導可能とするものであれば、誘導路の形成箇所は、必ずしも開放側２６ａ端辺を切欠いた切欠部２８で構成されるに限られず、例えば本発明の変形例として図７に示されるように、端面部材３６の誘導路は、内壁３０ｃの略中央高さにおいて、孔状に貫通した孔部３８であってもよい。このようにすることで、上述と同様に、充填空間Ｋ内を満たして更に充填された発泡断熱材の余剰分を、孔部３８から端面部材３６の内部空間Ｎに誘導出来るため、発泡断熱材の余剰分が組付け箇所等から充填空間Ｋの外部に漏出することを防止できる。
【００４５】
また、上記実施例では、端面部材２６は、開放側２６ａを外面材２０と当接するように配置されていたが、例えば端面部材は、開放側を内面材と当接させ、閉塞側を外面材と当接させるように配置された断面視略コ字形状の中空構造であって、端面部材の内側の仕切壁には、開放側に切欠された誘導路が形成されており、この誘導路により空間と内部空間とが連通されていてもよい。このようにすれば、内部空間に誘導された発泡断熱材が、内面材と一体に固着するため、断熱パネルの強度が高められる。
【図面の簡単な説明】
【００４６】
【図１】本発明の実施例におけるショーケースの断熱パネル構造の全体像を示す縦断面図である。
【図２】ショーケースの底部における発泡断熱材を充填する空間を示す斜視図である。
【図３】端面部材を下方から視た斜視図である。
【図４】注入路周辺を示した拡大断面斜視図である。
【図５】発泡断熱材の充填状況を示す断面図である。
【図６】（ａ）は、断熱パネルの形成状況を示す図２のＡ−Ａ断面図であり、（ｂ）は、（ａ）と同じくＢ−Ｂ断面図である。
【図７】変形例における端面部材を下方から視た斜視図である。
【符号の説明】
【００４７】
１                冷蔵ショーケース
２                外箱
３                内箱
４                ケース本体
５                冷蔵室
１９              脚部材
２０              外面材
２１              外底板
２２              斜め外底板
２３              内面材
２４              内底板
２５              斜め内底板
２６              端面部材
２６ａ            開放側
２８              切欠部（誘導路）
２９              注入路
３０ａ            外壁
３０ｂ            仕切壁
３０ｃ            内壁
３０ｄ            仕切壁
３０ｅ、３０ｅ’  仕切壁
３０ｆ            上壁
３５              ノズル
３６              端面部材
３８              孔部（誘導路）
【図１】
2008008509.tif 000003
【図２】
2008008509.tif 000004
【図３】
2008008509.tif 000005
【図４】
2008008509.tif 000006
【図５】
2008008509.tif 000007
【図６】
2008008509.tif 000008
【図７】
2008008509.tif 000009